(57)【要約】【課題】  本考案は、洋式便器の両サイドに配置され、使用者が体重を足裏全体で支えることができると共に、理想的な姿勢を保持できる構造を有する踏み台を提供する。【解決手段】  この考案は、洋式便器２の両サイドに配置される一対の踏み台１において、所定の高さで水平に形成された水平部１０と、該水平部１０から前方に所定の角度で傾斜する傾斜部２０とによって構成されることにある。また、前記水平部１０から前記傾斜部２０にかけて上方に曲面状に突出した突出部３０が形成されるものである。【選択図】    図３
0003178519.tif 000002
【実用新案登録請求の範囲】
【請求項１】
洋式便器の両サイドに配置される一対の踏み台において、
所定の高さで水平に形成された水平部と、
該水平部から前方に所定の角度で傾斜する傾斜部とによって構成されることを特徴とする踏み台。
【請求項２】
前記水平部から前記傾斜部にかけて上方に曲面状に突出した突出部が形成されることを特徴とする請求項１記載の踏み台。
【請求項３】
前記突出部は、足の土踏まずの沿った形状であることを特徴とする請求項２記載の踏み台。
【請求項４】
前記傾斜部の先端から所定値上の部分に水平に延出する指用凸条を設けたことを特徴とする請求項１〜３のいずれか１つに記載の踏み台。
【請求項５】
前記水平部及び傾斜部の表面を複数の突起で覆うと共に、前記突出部を長さの長い突起で形成することを特徴とする請求項２〜４のいずれか１つに記載の踏み台。
【請求項６】
前記踏み台は、床接地面に滑り止めが施されたカバーによって覆われることを特徴とする請求項１〜４のいずれか１つに記載の踏み台。
【考案の詳細な説明】
【技術分野】
【０００１】
本考案は、洋式便所の足下に置かれ、足が届かない人が足の乗せられるようにした踏み台に関する。
【背景技術】
【０００２】
特許文献１（実開平５−２９４９９号公報）は、幼児の洋式便所の使用時の危険性と、時間がかかるという問題点を解決するために、凹部を持った踏み台に裏及び側面に吸着盤あるいは面ファスナーを持たせ、これを洋式便器の側面に踏み台が動かないように吸い付け固定する踏み台を提供するものである。
【０００３】
特許文献２（実用新案登録第３０１１８４３号公報）は、幼児が大人用の洋式便所を使うことを補助するために、踏み台状の補助具を洋式便器の前に置いて使用するようにしたことを特徴とするものである。
【０００４】
特許文献３（特開２００４−３３７２２５号公報）は、和式便所で、用便時、腰を屈めて必要とする姿勢を確保するが、踵部に都合良く荷重がかからず、後方に倒れる危険性、後方下段付加面に転倒落下する等の危険な状況となり、特に、老人、障害者等の介護を必要とする人は、このような状況となりやすいため、補助の手段が要望されていた。このため、この引用文献３に開示される踏み台は、便所の床面の足踏み部に設置される足の甲部裏面を載置する平板部と、平板部に設けた床面のフード部側に設置される足の踵部を載置する膨出部で形成した踏み台であって、踏み台を便器の長手方向の側面に対で設置し、使用者の足の位置を設定し、使用者の屈み及び／又は起立時に、膨出部を支えとして、平板部に荷重をシフトして、容易な屈み等を確保可能とした踏み台を提供する。
【先行技術文献】
【特許文献】
【０００５】
【特許文献１】実開平５−２９４９９号公報
【特許文献３】実用新案登録第３０１１８４３号公報
【特許文献４】特開２００４−３３７２２５号公報
【考案の概要】
【考案が解決しようとする課題】
【０００６】
昨今、日本人の身長も昔に比べて高くなり、これにあわせて洋式便器の高さは４０ｃｍ位（理想的には、４５ｃｍ位まで高くすると立ち座りがもっと楽になる）であるため、逆に背の低いお年寄りや身体の不自由な方でも立ち座りは楽になっているが、用便をするときには、逆に足がしっかりと床面に付かないために、踏ん張りが利かず排泄に支障を来すという不具合が生じる。
【０００７】
このため、本考案は、洋式便器の両サイドに配置され、使用者が体重を足裏全体で支えることができると共に、理想的な姿勢を保持できる構造を有する踏み台を提供することにある。
【課題を解決するための手段】
【０００８】
したがって、この考案は、洋式便器の両サイドに配置される一対の踏み台において、所定の高さで水平に形成された水平部と、該水平部から前方に所定の角度で傾斜する傾斜部とによって構成されることにある。
【０００９】
これによって、使用者は、水平部に足を載せることもできるし、水平部が高い場合には傾斜部に沿って足を載せることもできるため、高さ調整の必要がないものである。
【００１０】
また、この考案において、前記水平部から前記傾斜部にかけて上方に曲面状に突出した突出部が形成されることが望ましい。また、この突出部は、足の土踏まずの沿った形状であることが望ましい。
【００１１】
これによって、突出部が土踏まずに沿って接触するため、足を載せ易くなるものである。
【００１２】
さらに、前記傾斜部の先端から所定値上の部分に水平に延出する指用凸条を設けることが望ましい。これによって、踏み台の足を載せた場合に、足指が指用凸条に保持されるため、使用感と安定感が向上するものである。
【００１３】
さらにまた、前記水平部及び傾斜部の表面を複数の突起で覆うと共に、前記突出部を長さの長い突起で形成することが望ましい。これによって、足裏を適度に刺激することができるために、つぼ押し効果を得ることが出来るものである。
【００１４】
さらに、前記踏み台は、床接地面に滑り止めが施されたカバーによって覆われることが望ましい。
【００１５】
基本的に踏み台は発泡スチロールで形成されることが望ましく、床面に対して所定の摩擦力を有するが、汚れ防止等のためにカバーを掛けることが望ましく、この場合には、カバーの床設置面に滑り止めを設けることが望ましい。滑り止めとしては、シリコン、ゴム、樹脂等であることが望ましい。
【考案の効果】
【００１６】
以上のように、本考案によれば、背の低いお年寄りなどがしっかりと踏ん張ることができることから、便秘を解消する１つの要因としての効果を奏するものである。
【図面の簡単な説明】
【００１７】
【図１】本考案の踏み台の実施状況の側面を示した説明図である。
【図２】本考案の踏み台の実施状況の正面を示した説明図である。
【図３】（ａ）は本考案の実施例１に係る踏み台の側面図、（ｂ）は正面図、（ｃ）は平面図である。
【図４】本考案の実施例２係る踏み台の側面図である。
【図５】本考案の実施例３に係る踏み台の側面図である。
【図６】本考案の実施例４に係る踏み台の側面図である。
【考案を実施するための形態】
【００１８】
以下、この考案の実施例について図１乃至図３により説明する。
【実施例１】
【００１９】
本考案の実施例１に係る踏み台１は、たとえば図１及び図２で示すように、洋式便器２の両サイドに配置され、使用者３の足がその上に載せられるものである。これによって、使用者３はしっかりと踏ん張ることができるので、便秘の解消につながる。
【００２０】
この踏み台１は、所定の高さで床に対して水平に延出する水平部１０と、この水平部１０から前方に所定の角度で傾斜する傾斜部２０と、前記水平部１０から傾斜部２０にわたる部分に曲面状に突出する突出部３０とによって構成される。
【００２１】
前記突出部３０の曲面は、人の足裏の土踏まずの形状に対応して形状に形成されることが望ましい。
【００２２】
さらに、踏み台１は、基本的に発泡スチロールによって形成されるものであり、これによって踏み台１の床面に接触する下面４０は、便所の床に対して所定の摩擦抵抗を有するため、使用者の踏ん張りに対しても踏み台１が動かないものである。しかしながら、さらに摩擦抵抗を増加させるために、下面４０に摩擦を増大させる手段を講じても良いものである。その手段として、シリコン系、ゴム系の滑り止めを設けるようにしても良いものである。
【００２３】
また、前記踏み台１には、汚れ防止のために図示しないカバーをかぶせても良いものである。この場合、カバーの床接地面には、前述したシリコン系、ゴム系、樹脂系の滑り止めを設けるものである。このカバーは、洗濯ができるように、ファスナーを取り付けて踏み台１に対して着脱自在とすることが望ましい。
【００２４】
尚、本考案に係る踏み台１は、発泡スチロールで形成されているため、軽量であり、使用しない場合には邪魔にならない所に容易に移動できるものである。
【実施例２】
【００２５】
本校案の実施例２に係る踏み台１は、傾斜部２０の先端から所定値上方に位置する箇所に水平に延出する指用凸条５０を形成したことを特徴とするものである。
【００２６】
これによって、踏み出しに足を載せた場合に、足指が指用凸条５０に保持されるため、使用感と安定感が向上するものである。
【実施例３】
【００２７】
本考案の実施例３に係る踏み台１は、踏み台１の水平部１０及び傾斜部２０
上に、複数の突起６０を設けたことを特徴とするものであり、さらにこの実施例３では、前記突出部３０を前記突起６０よりも長く形成された複数の長突起６１によって構成することを特徴とするものである。また、前記指用凸条５０も少し長く形成された突起６２によって構成するようにしても良いものである。これによって、足を踏み台１に載せた場合、足裏を突起６０，６１，６２により刺激するという効果を得ることができるものである。
【実施例４】
【００２８】
本考案の実施例４に係る踏み台１は、踏み台１を、基台１Ａと、前記複数の突起６０，６１，６２が形成された表面部材１Ｂとによって構成したことを特徴とするものである。この場合、基台１Ａと表面部材１Ｂとを異なる材料によって構成できるため、軽量化、コストダウン等を達成できるものである。例えば、基台１Ａを発泡スチロール等の軽量樹脂で形成し、表面部材１Ｂをシリコン系の軟質材料によって形成することも可能となるものである。
【符号の説明】
【００２９】
１  踏み台
２  洋式便器
３  使用者
１０  水平部
２０  傾斜部
３０  突出部
４０  下面
５０  指用凸条
６０，６１，６２  突起
【図１】
0003178519.tif 000003
【図２】
0003178519.tif 000004
【図３】
0003178519.tif 000005
【図４】
0003178519.tif 000006
【図５】
0003178519.tif 000007
【図６】
0003178519.tif 000008